(57)【特許請求の範囲】
【請求項１】
両者間に吊架線を挟んで、当該吊架線の半径方向に相対向して係合され、全体としてほぼ糸巻き状をなす第１及び第２の係合部材からなり、
前記第１の係合部材は、前記吊架線を受け入れる断面半円弧状の凹部を有する半円筒形胴部と、胴部両端外周に形成された鍔片とを具備し、
前記第２の係合部材は、半長円筒形胴部と、胴部両端外周に形成された鍔片とを具備し、当該半長円筒形胴部には、前記第１の係合部材の凹部と対向して前記吊架線を受け入れる断面半円弧状の凹部を有し、
前記吊架線に対して前記第１の係合部材又は前記第２の係合部材の何れを上方に配置して装着するかにより、前記胴部に掛けられるハンガイヤの吊り位置を上下に変更可能としたことを特徴とする吊り位置調整用吊架線保護カバー。
【請求項２】
両者間に吊架線を挟んで、当該吊架線の半径方向に相対向して係合され、全体としてほぼ糸巻き状をなす同形の第１及び第２の係合部材と、これら第１及び第２の係合部材の間に単数又は複数介設され、相互に及び前記第１及び第２の係合部材に係合可能で、前記第１及び第２の係合部材に係合されたときに全体としてほぼ長円筒形の糸巻き状を形成することができる第３の係合部材とを具備し、
前記第１及び第２の係合部材は、前記吊架線を受け入れる断面半円弧状の凹部を有する半円筒形胴部と、この胴部両端外周に形成された鍔片とを具備し、
前記第３の係合部材は、前記第１及び第２の係合部材の凹部と対向して前記吊架線を受け入れる断面半円弧状の凹部を上下に有する胴部と、この胴部両端外周に形成され前記第１及び第２の係合部材の鍔片と係合可能な鍔片とを具備し、
前記第１及び第２の係合部材の間に介設する前記第３の係合部材の数を選択することにより、前記胴部に掛けられるハンガイヤの吊り位置を上下に変更可能としたことを特徴とする吊り位置調整用吊架線保護カバー。
【発明の詳細な説明】
【技術分野】
【０００１】
ハンガイヤを介してトロリ線を吊支する吊架線は、ハンガイヤによる摩擦や衝撃で傷つけられるので、ハンガイヤの掛け止め箇所には吊架線を保護するためのカバーが装着される。この発明は、この吊架線の保護カバーに関するもので、吊架線の保護目的の他に、トロリ線の位置を上下に調整する目的で吊架線に装着される吊り位置調整用吊架線保護カバーに係るものである。
【背景技術】
【０００２】
従来、トロリ線の吊り位置を上下に調整することができるハンガイヤとして、ハンガバーの部分にターンバックルを組み込んだものが知られている（例えば特許文献１参照）。このハンガイヤは、トロリ線と吊架線との上下の間隔が所定以上である場合に使用することができるが、その間隔が狭い場合には使用することができないという問題点がある。一方、吊架線保護カバーとしては、両者間に吊架線を挟んで、当該吊架線の半径方向に相対向して係合され、全体としてほぼ糸巻き状をなす同形一対の半部からなるものが知られている（例えば特許文献２参照）。
【特許文献１】特開平１１−１９８６８８号公報
【特許文献２】実開昭５７−１９１６３８号公報
【発明の開示】
【発明が解決しようとする課題】
【０００３】
この発明は、トロリ線と吊架線との上下の間隔が狭くてターンバックル付きのハンガイヤを使用することができない箇所において、なおトロリ線の吊り位置を上下に調整できるようにするための吊架線保護カバーを提供することを課題としている。
【課題を解決するための手段】
【０００４】
請求項１に記載の発明においては、上記課題を解決するため、両者間に吊架線Ｍを挟んで、当該吊架線Ｍの半径方向に相対向して係合され、全体としてほぼ糸巻き状をなす第１及び第２の係合部材２，３から吊り位置調整用吊架線保護カバー１を構成する。第１の係合部材２には、吊架線Ｍを受け入れる断面半円弧状の凹部６ａを有する半円筒形胴部６と、胴部両端外周に形成された鍔片７とを具備させる。第２の係合部材３には、半長円筒形胴部８と、胴部両端外周に形成された鍔片９とを具備させ、半長円筒形胴部８には、第１の係合部材の凹部６ａと対向して吊架線Ｍを受け入れる断面半円弧状の凹部８ａを設ける。吊架線Ｍに対して第１の係合部材２又は第２の係合部材３の何れを上方に配置して装着するかにより、胴部４に掛けられるハンガイヤＨの吊り位置を上下に変更可能とする。
【０００５】
請求項２に記載の発明においては、上記課題を解決するため、両者間に吊架線Ｍを挟んで、当該吊架線Ｍの半径方向に相対向して係合され、全体としてほぼ糸巻き状をなす同形の第１及び第２の係合部材２と、これら第１及び第２の係合部材２の間に単数又は複数介設される第３の係合部材１３とを具備させて吊り位置調整用吊架線保護カバー２１を構成する。第３の係合部材１３は、相互に及び第１及び第２の係合部材２に係合可能で、第１及び第２の係合部材２，２に係合されたときに全体としてほぼ長円筒形の糸巻き状を形成することができるものとする。第１及び第２の係合部材２，２は、吊架線Ｍを受け入れる断面半円弧状の凹部を有する半円筒形胴部と、この胴部両端外周に形成された鍔片とを具備する同形のものとする。第３の係合部材には、第１及び第２の係合部材の凹部６ａと対向して吊架線Ｔを受け入れる断面半円弧状の凹部１４ａ，１４ｂを上下に有する胴部１４と、この胴部両端外周に形成され第１及び第２の係合部材の鍔片７，７と係合可能な鍔片１５とを具備させる。第１及び第２の係合部材２，２の間に介設する第３の係合部材１３の数を選択することにより、胴部４に掛けられるハンガイヤＨの吊り位置を上下に変更可能とする。
【発明の効果】
【０００６】
請求項１に記載の発明においては、吊架線Ｍに対して第１の係合部材２又は第２の係合部材３の何れを上方に配置して装着するかにより、また請求項２に記載の発明においては、第１及び第２の係合部材２，２の間に介設する第３の係合部材１３の数を選択することにより、吊架線Ｍとトロリ線Ｔとの間隔が狭くても、ハンガイヤＨの吊り位置を上下に変更して、トロリ線Ｔの高さを微調整することができる。
【発明を実施するための最良の形態】
【０００７】
図面を参照してこの発明の実施の形態を説明する。図１は吊り位置調整用吊架線保護カバーの斜視図、図２は吊り位置調整用吊架線保護カバーの分解斜視図、図３は装着状態の吊り位置調整用吊架線保護カバーの正面図、図４は同側面図、図５は他の実施例に係る吊り位置調整用吊架線保護カバーの分解斜視図、図６は装着状態の同保護カバーの正面図、図７は同側面図、図８は吊り位置の調整方法を示す同保護カバーの正面図である。
【０００８】
図１ないし図３において、保護カバー１は、吊架線Ｍを挟んで、当該吊架線Ｍの半径方向に相対向してスナップ係合される弾性合成樹脂製の第１及び第２の係合部材２，３からなる。第１及び第２の係合部材２，３は、互いに係合された状態において全体としてほぼ糸巻き状をなし、断面長円筒形の胴４とその両端の鍔５とを有する。長円筒形胴４にハンガイヤＨが掛けられ、両端の鍔５によってその脱落が阻止される。保護カバー１は、胴部断面の長円の長径を鉛直に向けて吊架線Ｍ上に装着される。吊架線Ｍは、胴部断面の長円の中心から長径上に偏心した位置を貫通する。したがって、保護カバー１の装着方向を１８０°変更すれば、ハンガイヤＨの吊り位置、すなわちトロリ線Ｔの吊り位置を上下に変更することができる。
【０００９】
第１の係合部材２は、吊架線Ｍを受け入れる断面半円弧状の凹部６ａを有する半円筒形胴部６と、胴部両端外周に形成された鍔片７とを具備する。
第２の係合部材３は、半長円筒形胴部８と、胴部両端外周に形成された鍔片９とを具備する。半長円筒形胴部８は、第１の係合部材の凹部６ａと対向して吊架線Ｍを受け入れる断面半円弧状の凹部８ａを有し、第１の係合部材の半円筒形胴部６と係合して断面長円筒形の胴４を形成する。
【００１０】
第１の係合部材２と第２の係合部材３は、鍔片７，９の両端に、互いに勝手違いに配置された係合部１０と対応係合部１１を有する。第１の係合部材２と第２の係合部材３を、吊架線Ｍを挟んで対向させて押し合わせれば、相互に係合部１０と対応係合部１１とがスナップ係合し一体化する。
【００１１】
吊架線Ｍに対して第１の係合部材２又は第２の係合部材３の何れを上方に配置して装着するかにより、胴４に掛けられるハンガイヤＨの吊り位置を上下に変更可能である。
【００１２】
図５ないし図８の他の実施例においては、保護カバー２１が、第１ないし第３の３つの係合部材２，２，１３を結合して構成される。第１の係合部材と第２の係合部材は、先の実施例における第１の係合部材２と同一構造のものであり（同一の符号を付して説明を省略する。）、勝手違いに組み合わされる。
第３の係合部材１３は、胴部１４と鍔片１５とを具備する。胴部１４は、第１及び第２の係合部材２の凹部６ａと対向して吊架線Ｍを受け入れる断面半円弧状の凹部１４ａ、１４ｂを上下に有する。鍔片１５は、胴部両端外周に形成され、係合部１６，１７を備え、第１及び第２の係合部材２の鍔片７とスナップ係合可能である。
【００１３】
第１ないし第３の３つの係合部材２，２，１３を係合一体化した状態において、上下２つの吊架線挿通孔１８，１９を有する断面長円形の胴４とその両端縁の鍔５が形成される。
【００１４】
図８に示すように、第１及び第２の係合部材２の間に介設する第３の係合部材１３の数を選択し、また吊架線挿通すべき孔１８，１９を選択することにより、胴４に掛けられるハンガイヤＨの吊り位置を上下に変更することができる。
【産業上の利用可能性】
【００１５】
この発明は、トロリ線と吊架線との上下の間隔が狭くてターンバックル付きのハンガイヤを使用することができない箇所において、なおトロリ線の吊り位置を上下に調整できるようにするための吊架線保護カバーとして利用できる。
【図面の簡単な説明】
【００１６】
【図１】吊り位置調整用吊架線保護カバーの斜視図である。
【図２】吊り位置調整用吊架線保護カバーの分解斜視図である。
【図３】装着状態の吊り位置調整用吊架線保護カバーの正面図である。
【図４】装着状態の吊り位置調整用吊架線保護カバーの側面図である。
【図５】他の実施例に係る吊り位置調整用吊架線保護カバーの分解斜視図である。
【図６】他の実施例に係る吊り位置調整用吊架線保護カバーの正面図である。
【図７】他の実施例に係る吊り位置調整用吊架線保護カバーの側面図である。
【図８】他の実施例に係る吊り位置調整用吊架線保護カバーの吊り位置調整方法を示す正面図である。
【符号の説明】
【００１７】
１    用吊架線保護カバー
２    第１の係合部材
３    第２の係合部材
４    胴
５    鍔
６    半円筒形胴部
６ａ  凹部
７    鍔片
８    半長円筒形胴部
８ａ  凹部
９    鍔片
Ｈ    ハンガイヤ
Ｍ    吊架線
Ｔ    トロリ線
【図１】
0004993295.tif 000002
【図２】
0004993295.tif 000003
【図３】
0004993295.tif 000004
【図４】
0004993295.tif 000005
【図５】
0004993295.tif 000006
【図６】
0004993295.tif 000007
【図７】
0004993295.tif 000008
【図８】
0004993295.tif 000009